(57)【要約】【課題】複数の親器と少なくとも１つの子器を含む照明システムにおいて、子器を確実にフラッシュ点滅させるようにする。【解決手段】照明システム１０は、第１親器１２ａおよび第２親器１２ｂと、第１親器１２ａおよび第２親器１２ｂに接続され、第１親器または第２親器から電力供給を受けて点灯状態が制御される少なくとも１つの子器１４とを備える。第１親器１２ａおよび第２親器１２ｂのうち一方の親器は、人感センサ２６ａ，２６ｂから人検知信号を受信したことに応じて子器１４を点灯期間および消灯期間を交互に繰り返すフラッシュ点滅させるとき、子器１４が他方の親器から点灯状態を制御する信号を所定時間の間、受けていないことを条件に、子器１４をフラッシュ点滅させる。【選択図】図１
2019129058.tif 000002
【特許請求の範囲】
【請求項１】
第１親器および第２親器と、
前記第１親器および第２親器に接続され、前記第１親器または前記第２親器から電力供給を受けて点灯状態が制御される少なくとも１つの子器と、を備える照明システムであって、
前記第１親器および第２親器のうち一方の親器は、人感センサから人検知信号を受信したことに応じて前記子器を点灯期間および消灯期間を交互に繰り返すフラッシュ点滅させるとき、前記子器が他方の親器から点灯状態を制御する信号を所定時間の間、受けていないことを条件に、前記子器をフラッシュ点滅させる、照明システム。
【請求項２】
前記所定時間は、フラッシュ点滅において各１回の点灯期間および消灯期間を含むフラッシュ点滅周期に相当する時間である、請求項１に記載の照明システム。
【請求項３】
前記フラッシュ点滅周期に相当する時間は、前記第１親器および第２親器に供給される外部交流電圧がゼロとなる回数をカウントするカウンタによって計測される、請求項２に記載の照明システム。
【請求項４】
前記第１親器または前記第２親器は、前記カウンタの値が下記の式で示される所定値ｎになったときに前記子器をフラッシュ点滅させる、請求項３に記載の照明システム。
ｎ＝フラッシュ点滅周期（ｍｓ）／（１（ｓ）／外部交流電圧周波数（Ｈｚ））
【発明の詳細な説明】
【技術分野】
【０００１】
本開示は、複数の親器と少なくとも１つの子器を備える照明システムに関する。
【背景技術】
【０００２】
従来、例えば特許文献１には、２台の親器と１台の子器とを含む連動型照明器具システムが開示されている。この照明器具システムでは、一方の親器が人体検知部からの検知信号を受信すると点灯し、この点灯情報が子器および他方の親器に伝達されて子器および他方の親器も連動して点灯することが記載されている。
【先行技術文献】
【特許文献】
【０００３】
【特許文献１】特開２０１３−２４６９８２号公報
【発明の概要】
【発明が解決しようとする課題】
【０００４】
上記特許文献１に記載されるような連動型照明器具システムにおいて、親器が人検知部から検知信号を受信したとき、防犯目的で威嚇を行うために、親器自身をフラッシュ点滅させるとともに子器も連動してフラッシュ点滅させることがある。この場合、一方の親器からの電力供給タイミングと他方の親器からの電力供給タイミングとがずれたときに、子器の点灯状態がフラッシュ点滅ではなく連続点灯した状態に見えることが生じ得る。
【０００５】
本開示の目的は、複数の親器と少なくとも１つの子器を含む照明システムにおいて、子器を確実にフラッシュ点滅させるようにすることである。
【課題を解決するための手段】
【０００６】
本開示に係る照明システムは、第１親器および第２親器と、第１親器および第２親器に接続され、第１親器または第２親器から電力供給を受けて点灯状態が制御される少なくとも１つの子器と、を備える。第１親器および第２親器のうち一方の親器は、人感センサから人検知信号を受信したことに応じて子器を点灯期間および消灯期間を交互に繰り返すフラッシュ点滅させるとき、子器が他方の親器から点灯状態を制御する信号を所定時間の間、受けていないことを条件に、子器をフラッシュ点滅させる。
【発明の効果】
【０００７】
本開示に係る照明システムによれば、複数の親器と少なくとも１つの子器を含む照明システムにおいて子器を確実にフラッシュ点滅させることができる。
【図面の簡単な説明】
【０００８】
【図１】本開示の一実施形態である照明システムの全体構成を示す図である。
【図２】各親器に含まれる制御部を示す図である。
【図３】子器に対する制御内容の重み付けを示す図である。
【図４】人感センサによる検知に基づいて子器をフラッシュ点滅させるときのタイマー設定について説明する図である。
【図５】第１親器と第２親器とで子器に対するフラッシュ点滅の指示がずれた場合の子器の点灯状態を説明するための図である。
【図６】各親器の制御部に備えられるエッジ検出カウンタを説明するための図である。
【図７】各親器の制御部において実行される処理を示すフローチャートである。
【発明を実施するための形態】
【０００９】
以下に、本開示に係る実施の形態について添付図面を参照しながら詳細に説明する。この説明において、具体的な形状、材料、数値、方向等は、本開示の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１０】
図１は、本開示の一実施形態である照明システム１０の全体構成を示す図である。照明システム１０は、例えば、建物の入口付近の壁や天井などに設置され、常夜灯や防犯灯として用いることができる。
【００１１】
照明システム１０は、第１親器１２ａ、第２親器１２ｂおよび子器１４を備える。照明システム１０に含まれる親器は、２つに限定されるものではなく、３つ以上の複数であってもよい。また、子器１４もまた、１つに限定されるものではなく、２つ以上であってもよい。
【００１２】
照明システム１０は、高圧側電源線２ａおよび低圧側電源線２ｂに接続されている。高圧側電源線２ａは、例えばターンスイッチ等で構成されるスイッチ４を介して外部電源６の一方端子に接続され、低圧側電源線２ｂは外部電源６の他方端子に接続されている。これにより、スイッチ４がオン状態になると、外部電源６から高圧側電源線２ａおよび低圧側電源線２ｂに外部交流電圧が印加されるようになっている。外部電源６は例えば５０Ｈｚまたは６０Ｈｚの交流電源を印加する商用交流電源を用いることができる。
【００１３】
第１親器１２ａは、調光電源回路１６ａ、発光部１８ａ、電圧変換部２０ａ、制御部２２ａ、および、スイッチング素子２４ａを備える。
【００１４】
調光電源回路１６ａは、一対の分岐電源線８ａを介して高圧側電源線２ａおよび低圧側電源線２ｂに電気的に接続されている。調光電源回路１６ａは、外部電源６から供給される交流電圧を直流電圧に変換して発光部１８ａに印加することにより、発光部１８ａを点灯させることができる。
【００１５】
また、調光電源回路１６ａは、制御部２２ａから送信されるＰＷＭ（Ｐｕｌｓｅ  Ｗｉｄｔｈ  Ｍｏｄｕｌａｔｉｏｎ）信号を受けて、発光部１８ａに印加される直流電圧を調整または制御することができる。これにより、調光電源回路１６ａは、発光部１８ａを例えば１００％の明るさで点灯したフル点灯状態だけでなく、フル点灯状態よりも減光した調光状態で点灯させることができる。以下において、明るさ１００％での点灯をフル点灯といい、調光された状態での点灯を調光点灯という。
【００１６】
発光部１８ａは、調光電源回路１６ａから電力供給を受けて発光する。発光部１８ａは、例えば、ＬＥＤ（Ｌｉｇｈｔ−Ｅｍｉｔｔｉｎｇ  Ｄｅｖｉｃｅ）によって好適に構成されるが、例えば白熱電球等の他の発光源を用いた発光部であってもよい。
【００１７】
高圧側電源線２ａおよび低圧側電源線２ｂは、それぞれ環状に接続された高圧側ループ回路部３ａおよび低圧側ループ回路部３ｂを有する。各ループ回路部３ａ，３ｂは、第１親器１２ａおよび第２親器１２ｂを通って配線されている。
【００１８】
第１親器１２ａの電圧変換部２０ａは、高圧側ループ回路部３ａおよび低圧側ループ回路部３ｂに電気的に接続されている。電圧変換部２０ａは、高圧側ループ回路部３ａおよび低圧側ループ回路部３ｂから供給される例えば１００Ｖの交流電圧（外部交流電圧）を、制御部２２ａの作動電圧である例えば＋５Ｖの直流電圧に変換する機能を有する。
【００１９】
スイッチング素子２４ａは、第１親器１２ａにおいて低圧側ループ回路部３ｂに設けられている。スイッチング素子２４ａは、例えばトライアックによって好適に構成され、制御部２２ａから送信される制御信号を受けてオン・オフ制御されるようになっている。
【００２０】
第１親器１２ａにおいて、スイッチング素子２４ａがオンされると、制御部２２ａから調光電源回路１６ａにＰＷＭ信号が送信されて、発光部１８ａがフル点灯状態または調光状態で点灯する。
【００２１】
また、本実施形態の照明システム１０において、第１親器１２ａは、フル点灯と消灯を所定周期で交互に繰り返すフラッシュ点滅を行うことができる。このようなフラッシュ点滅は、第１親器１２ａの照明領域に居る人に対して威嚇するための防犯目的で使用するのが効果的である。
【００２２】
また、第１親器１２ａには、人感センサ２６ａが電気的に接続されている。人感センサ２６ａには、例えば赤外線センサが好適に用いられ、第１親器１２ａが設置されている場所の近傍に設けられている。人感センサ２６ａによって人が検知されると、人感センサ２６ａから第１親器１２ａの制御部２２ａに人検知信号が入力されるようになっている。
【００２３】
なお、ここでは人感センサ２６ａが第１親器１２ａと別体に設けられた例について説明するが、これに限定されるものではなく、人感センサが第１親器１２ａに組み込まれて一体に構成されてもよい。
【００２４】
また、第１親器１２ａと別体または一体に例えば焦電センサからなる明るさセンサを設け、第１親器１２ａの設置場所周囲の明るさに応じて第１親器１２ａの点灯状態を制御してもよい。例えば、設置場所周囲の明るさが第１所定値より暗くなったときに第１親器１２ａをフル点灯させ、設置場所周囲の明るさが第１所定値より暗い第２所定値になったとき第１親器１２ａを調光点灯させてもよい。
【００２５】
図２は、第１親器１２ａの制御部２２ａを示す図である。制御部２２ａは、例えば、マイコンによって好適に構成される。制御部２２ａは、記憶部２８、エッジ検出カウンタ３０、および計時部３２を有している。制御部２２ａは、記憶部２８からプログラムを読み出して実行することができる。
【００２６】
制御部２２ａには、電源同期入力信号、子器状態入力信号、人感センサ入力信号が入力される。また、制御部２２ａからは、自器制御出力信号（ＰＷＭ信号）および子器制御出力信号される。
【００２７】
制御部２２ａのエッジ検出カウンタ３０は、制御部２２ａに入力される電源同期入力信号に基づいて、外部電源６から供給される交流電圧がゼロとなる回数をカウントする機能を有する。このように交流電圧がゼロとなるタイミングを検出して、スイッチ４をオンするタイミングと同期させることで、調光電源回路１６ａ等に過大な突入電流が流れないようにして保護することができる。
【００２８】
制御部２２ａの計時部３２は、時間を計測する機能を有する。計時部３２は、後述する検知保持タイマや、フラッシュ点滅開始判定タイマ等として用いられる。
【００２９】
また、制御部２２ａは、子器状態出力信号を送信することによって子器１４の点灯状態を制御することができ、また、子器状態入力信号に基づいて子器１４の点灯状態を判定することができる。これらの子器状態出力信号および子器状態入力信号は、例えば図示しない通信線を介して送受信される。
【００３０】
さらに、制御部２２ａは、自器制御出力信号を調光電源回路１６ａへ出力することによって、自器の発光部１８ａの点灯状態（フル点灯、調光点灯、消灯）を制御することができる。
【００３１】
再び図１を参照すると、照明システム１０の第２親器１２ｂは、調光電源回路１６ｂ、発光部１８ｂ、電圧変換部２０ｂ、制御部２２ｂ、および、スイッチング素子２４ｂを備える。第２親器１２ｂの一対の分岐電源線８ｂを介して高圧側ループ回路部３ａおよび低圧側ループ回路部３ｂに電気的に接続されている。これにより、高圧側ループ回路部３ａおよび低圧側ループ回路部３ｂから一対の分岐電源線８ｂを介して第２親器１２ｂに例えば１００Ｖの交流電圧が印加されるようになっている。第２親器１２ｂの構成は、上述した第１親器１２ａと同様であるため、ここでの説明を省略する。
【００３２】
第２親器１２ｂには、人感センサ２６ｂが電気的に接続されている。人感センサ２６ｂには、例えば赤外線センサが好適に用いられ、第２親器１２ｂが設置されている場所の近傍に設けられている。人感センサ２６ｂによって人が検知されると、人感センサ２６ｂから第２親器１２ｂの制御部２２ｂに人検知信号が入力されるようになっている。
【００３３】
本実施形態の照明システム１０において、子器１４は、調光電源回路３４および発光部３６を備える。調光電源回路３４は、一対の分岐電源線８ｃを介して高圧側ループ回路部３ａおよび低圧側ループ回路部３ｂに電気的に接続されている。発光部３６は、調光電源回路３４によって外部交流電圧が位相制御されることで、フル点灯、調光点灯等の点灯状態が制御される。発光部３６は、例えば、ＬＥＤによって好適に構成されるが、例えば白熱電球等の他の発光源を用いた発光部であってもよい。
【００３４】
子器１４は、第１親器１２ａおよび第２親器１２ｂと連動して点灯または消灯する。具体的には、第１親器１２ａのスイッチング素子２４ａがオンされて第２親器１２ｂのスイッチング素子２４ｂがオフされているとき、子器１４は第１親器１２ａから高圧側ループ回路部３ａおよび低圧側ループ回路部３ｂを介して電力供給を受けて点灯する。
【００３５】
他方、第１親器１２ａのスイッチング素子２４ａがオフされて第２親器１２ｂのスイッチング素子２４ｂがオンされているとき、子器１４は第２親器１２ｂから高圧側ループ回路部３ａおよび低圧側ループ回路部３ｂを介して電力供給を受けて点灯する。
【００３６】
なお、第１親器１２ａおよび第２親器１２ｂの両方のスイッチング素子２４ａ，２４ｂが共にオンされているとき、子器１４は、電流経路における電気抵抗が小さい方の第１親器１２ａまたは第２親器１２ｂから電力供給を受けることになる。
【００３７】
子器１４の点灯状態は、図３に示す重み付けにしたがって制御される。図３において「フル」はフル点灯を意味し、「調光」は調光点灯を意味する。
【００３８】
図３に示すように、子器１４は、第１親器１２ａおよび第２親器１２ｂの少なくとも一方がフル点灯した場合はフル点灯し、第１親器１２ａまたは第２親器１２ｂが調光点灯した場合は調光点灯し、第１親器１２ａおよび第２親器１２ｂが消灯している場合に消灯する。このような重み付けは、第１および第２親器１２ａ，１２ｂの制御部２２ａ，２２ｂに予め記憶されており、制御部２２ａ，２２ｂから出力される子器制御出力信号によって子器１４の点灯状態が上記の重み付けにしたがって制御される。
【００３９】
図４は、人感センサによる検知に基づいて子器をフラッシュ点滅させるときのタイマ設定について説明する図である。
【００４０】
図４に示すように、人感センサ２６ａ，２６ｂによってパルス状の人検知信号ＰＳが制御部２２ａ，２２ｂに入力されると、計時部３２において、検知保持タイマが予め定められた時間Ｔ１（例えば、５ｓ）を計時開始するとともに、フラッシュ点滅開始判定タイマが予め定められた時間Ｔ２（例えば、３０ｓ）を計時開始する。ここで、人検知信号ＰＳが入力される度に検知保持タイマＴ１をリセットして時間Ｔ１を計測する。また、フラッシュ点滅開始判定タイマの時間Ｔ２は、検知保持タイマの時間Ｔ１より長く設定されている。
【００４１】
フラッシュ点滅開始判定タイマが時間Ｔ２の計時完了した時期ｔ１では、検知保持タイマによる時間Ｔ２の計時が既に完了している。この場合には、人感センサ２６ａ，２６ｂの検知領域から人が既に立ち去っている可能性が高い。そのため、この場合には親器１２ａ，１２ｂおよび子器１４をフラッシュ点滅させないように制御する。これに対し、フラッシュ点滅開始判定タイマが次に時間Ｔ２の計時完了した時期ｔ２では、検知保持タイマによる時間Ｔ２の計時が継続している。この場合には。人感センサ２６ａ，２６ｂの検知領域に人がまだ存在する可能性が高い。そのため、この場合には、時期ｔ２のタイミングで親器１２ａ，１２ｂおよび子器１４のフラッシュ点滅を開始するように制御する。なお、フラッシュ点滅は、予め定められた所定時間（例えば、１０ｓ）だけ継続して終了する。
【００４２】
図５は、第１親器１２ａと第２親器１２ｂとで子器１４に対するフラッシュ点滅の指示がずれた場合の子器１４の点灯状態を説明するための図である。
【００４３】
図５に示すように、人感センサ２６ａからの人検知信号に応じて第１親器１２ａのフラッシュ点滅の点灯期間と、人感センサ２６ｂからの人検知信号に応じて第２親器１２ｂのフラッシュ点滅の点灯期間とがずれることがある。このとき、第１親器１２ａの消灯期間と第２親器１２ｂの点灯期間とがほぼ一致した場合、子器１４の点灯状態がフラッシュ点滅ではなく連続点灯した状態に見えることが生じ得る。
【００４４】
そこで、このような場合にも子器１４を確実にフラッシュ点滅させるため、本実施形態の照明システム１０は、次のような制御を実行する。
【００４５】
図６は、第１および第２親器１２ａ，１２ｂの制御部２２ａ，２２ｂに備えられるエッジ検出カウンタ３０を説明するための図である。図６に示すように、第１および第２親器１２ａ，１２ｂの制御部２２ａ，２２ｂは、電源同期入力信号（図２参照）に基づいて、外部交流電圧がプラスからマイナスに変わるゼロとなるときに矩形パルス状のエッジ検出信号ＥＳを生成する。そして、このエッジ検出信号ＥＳを制御部２２ａ，２２ｂのエッジ検出カウンタ３０でカウントする。
【００４６】
図７は、第１および第２親器１２ａ，１２ｂの制御部２２ａ，２２ｂにおいて実行される処理を示すフローチャートである。図７に示す処理手順は各制御部２２ａ，２２ｂにおいてそれぞれ実行されるが、以下では第１親器１２ａの制御部２２ａで実行される場合について説明する。
【００４７】
図７に示すように、第１親器１２ａの制御部２２ａは、ステップＳ１０において、人検知の有無を判定する。この判定は、人感センサ２６ａから入力される人検知信号の有無に基づいて行われる。ここで否定判定されると（ステップＳ１０でＮＯ）、そのまま処理を終了する（エンド処理）。
【００４８】
上記ステップＳ１０で肯定判定（ＹＥＳ）されると、制御部２２ａは、続くステップＳ１２において、子器１４が消灯状態にあるか否かを判定する。この判定は、制御部２２ａに入力される子器状態入力信号に基づいて行われる。ここで否定判定されると（ステップＳ１２でＮＯ）、そのまま処理を終了する（エンド処理）。
【００４９】
上記ステップＳ１２において肯定判定（ＹＥＳ）されると、制御部２２ａは、続くステップＳ１４において、エッジ検出カウンタ値が所定値ｎになったか否かを判定する。
【００５０】
ここで、上記所定値ｎは、次の式によって算出することができる。
ｎ＝フラッシュ点滅周期Ｔ３（ｍｓ）／（１（ｓ）／外部交流電圧周波数（Ｈｚ））
【００５１】
具定例で説明すると、各１つの点灯期間（２５０ｍｓ）および消灯期間（２５０ｍｓ）で構成されるフラッシュ点滅周期Ｔ３を５００ｍｓ、外部交流電圧周波数を５０Ｈｚとしたとき、１ｓ＝１００ｍｓであるため、ｎ＝５００／（１０００／５０）＝５００／２０＝２５となる。したがって、この場合にはステップＳ１６で、エッジ検出カウンタ値がｎ＝２５になったか否かが判定される。外部交流電圧周波数を６０Ｈｚとした場合、ｎ＝３０となる。このように算出される所定値ｎは、制御部２２ａの記憶部２８に予め記憶させておくことができる。
【００５２】
上記ステップＳ１４において否定判定（ＮＯ）されたとき、制御部２２ａは、ステップＳ１２に戻って子器１４が消灯状態にあるか否かを判定する。そして、子器１４が消灯状態にあると判定されたとき、制御部２２ａは、続くステップＳ１４においてエッジ検出カウンタ値が所定値ｎになったか否かを判定する。このように制御部２２ａは、エッジ検出カウンタ値が所定値ｎになるまでステップＳ１２およびＳ１４の処理を繰り返し実行する。その間に、ステップＳ１２において子器１４が消灯状態にないと判定（ＮＯ）されたとき、すなわち、子器１４が第２親器１２ｂからの電力供給を受けてフル点灯、調光点灯またはフラッシュ点滅したとき、制御部２２ａはそのまま処理を終了する（エンド処理）。この場合には、第１親器１２ａは、子器１４に対して子器制御出力信号を出力することなく、自器の発光部１８ａをフラッシュ点滅させるための自器制御出力信号のみを出力する。
【００５３】
他方、上記ステップＳ１４でエッジ検出カウンタ値が所定値ｎになったと判定（ＹＥＳ）されたとき、制御部２２ａは、続くステップＳ１６において、子器１４をフラッシュ点滅させる。すなわち、制御部２２ａは、子器１４のフラッシュ点滅させるための子器制御出力信号を出力する。そして、制御部２２ａは、処理を終了する（エンド処理）。
【００５４】
上記では図７を参照して第１親器１２ａの制御部２２ａで実行される処理について説明したが、第２親器１２ｂの制御部２２ｂにおいても同様の処理が実行される。これにより、第２親器１２ｂがフラッシュ点滅動作を行うとき、子器１４が第１親器１２ａから電力供給を受けてフル点灯、調光点灯またはフラッシュ点滅している場合には、第２親器１２ｂは自器でフラッシュ点滅するための自器制御出力信号のみを出力する。
【００５５】
上述したように本実施形態の照明システム１０は、第１親器１２ａおよび第２親器１２ｂと、第１親器および第２親器に接続され、第１親器１２ａまたは第２親器１２ｂから電力供給を受けて点灯状態が制御される少なくとも１つの子器１４とを備える。第１親器１２ａおよび第２親器１２ｂのうち一方の親器は、人感センサ２６ａ，２６ｂから人検知信号を受信したことに応じて子器１４を点灯期間および消灯期間を交互に繰り返すフラッシュ点滅させるとき、子器１４が他方の親器から点灯状態を制御する信号を所定時間の間、受けていないことを条件に、子器１４をフラッシュ点滅させる。ここで、上記所定時間は、点灯期間と消灯期間とを交互に繰り返すフラッシュ点滅において各１回の点灯期間および消灯期間を含むフラッシュ点滅周期Ｔ３に相当する時間である。
【００５６】
このように本実施形態の照明システム１０では、子器１４がフラッシュ点滅周期Ｔ３に相当する所定時間の間、他方の親器から点灯状態を制御する信号を受けていない場合に、一方の親器から子器１４にフラッシュ点滅させるための信号を出力する。これにより、一方の親器からのフラッシュ点滅のための電力供給タイミングと他方の親器からのフラッシュ点滅のための電力供給タイミングとがずれることによって、子器１４がフラッシュ点滅ではなく連続点灯した状態に見えてしまうのを防止できる。したがって、複数の親器１２ａ，１２ｂと少なくとも１つの子器１４を含む照明システム１０において、子器１４を確実にフラッシュ点滅させることができる。
【００５７】
また、本実施形態では、フラッシュ点滅周期Ｔ３に相当する時間は、第１親器１２ａおよび第２親器１２ｂに供給される外部交流電圧がゼロとなる回数をカウントするエッジ検出カウンタ３０によって計測される。エッジ検出機能は、突入電流保護のために設けられている既存の機能である。その既存の機能を利用するため、ハード構成を変更することなくソフトウエアの変更だけで実現可能となり、コストアップを抑制できる。
【００５８】
また、本発明実施では、第１親器１２ａまたは第２親器１２ｂは、エッジ検出カウンタ３０のカウント値が下記の式で示される所定値ｎになったときに子器１４をフラッシュ点滅させる。
ｎ＝フラッシュ点滅周期（ｍｓ）／（１（ｓ）／外部交流電圧周波数（Ｈｚ））
【００５９】
このように所定値ｎを設定することで、少なくともフラッシュ点滅周期Ｔ３に相当する時間だけ子器１４が消灯状態を維持していることを確認することができる。すなわち、フラッシュ点滅条件を満たした一方の親器は、子器１４が他方の親器からフラッシュ点滅のための信号を受信していないことを確認できる。
【００６０】
なお、本開示に係る照明システムは、上述した実施形態およびその変形例に限定されるものではなく、本願の特許請求の範囲に記載される事項の範囲内において種々の変更や改良が可能である。
【００６１】
例えば、上記においては、第１親器１２ａまたは第２親器１２ｂは、エッジ検出カウンタ３０のカウント値が所定値ｎになったときに子器１４をフラッシュ点滅させる例について説明したが、これに限定されない。第１親器１２ａまたは第２親器１２ｂは、エッジ検出カウンタ３０のカウント値が所定値ｎ以上になったときに子器１４をフラッシュ点滅させてもよい。これによっても子器１４のフラッシュ点滅開始までに要する時間が長くなる可能性があるが、上記実施形態と同様の効果を奏することができる。
【００６２】
また、上記においては、制御部２２ａ，２２ｂにおいてフラッシュ点滅周期Ｔ３に相当する時間をエッジ検出カウンタのカウント値で計測する例について説明したが、これに限定されるものではない。第１親器１２ａおよび第２親器１２ｂは、各制御部２２ａ，２２ｂに備えられた計時部３２によってフラッシュ点滅周期Ｔ３に相当する時間を計時してから、子器１４に子器制御出力信号を出力してもよい。
【符号の説明】
【００６３】
２ａ  高圧側電源線、２ｂ  低圧側電源線、３ａ  高圧側ループ回路部、３ｂ  低圧側ループ回路部、４  スイッチ、６  外部電源、８ａ，８ｂ，８ｃ  一対の分岐電源線、１０  照明システム、１２ａ  第１親器、１２ｂ  第２親器、１４  子器、１６ａ，１６ｂ，３４  調光電源回路、１８ａ，１８ｂ，３６  発光部、２０ａ，２０ｂ  電圧変換部、２２ａ，２２ｂ  制御部、２４ａ，２４ｂ  スイッチング素子、２６ａ，２６ｂ  人感センサ、２８  記憶部、３０  エッジ検出カウンタ、３２  計時部。
【図１】
2019129058.tif 000003
【図２】
2019129058.tif 000004
【図３】
2019129058.tif 000005
【図４】
2019129058.tif 000006
【図５】
2019129058.tif 000007
【図６】
2019129058.tif 000008
【図７】
2019129058.tif 000009